(57)【特許請求の範囲】
【請求項１】
ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップに設けられ、ディスク状記録媒体の記録面にレーザー光が集光するようにフォーカシング調整及びトラッキング調整を行う対物レンズ駆動装置であって、
上記対物レンズの光軸方向へ突出して設けられた支持軸部とフォーカシング調整時に駆動電流が供給されるフォーカシングコイルとトラッキング調整時に駆動電流が供給されるトラッキングコイルとを有する固定部と、
上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを備え、
該可動部にフォーカシングコイル及びトラッキングコイルに対向して配置されると共に極対数が２のマグネットが取り付けられ、
上記固定部に取り付けられると共に上記マグネットを引き寄せて可動部をフォーカシング方向及びトラッキング方向における中立位置にそれぞれ保持する磁性部材を設け、
上記マグネットのフォーカシングコイル及びトラッキングコイルに対向する面側の２極の境界線に対して上記磁性部材を傾斜させた
ことを特徴とする対物レンズ駆動装置。
【請求項２】
ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップを備え、該光学ピックアップに設けられた対物レンズ駆動装置によってディスク状記録媒体の記録面にレーザー光が集光するようにフォーカシング調整及びトラッキング調整が行われるディスクドライブ装置であって、
上記対物レンズ駆動装置は、
対物レンズの光軸方向へ突出して設けられた支持軸部とフォーカシング調整時に駆動電流が供給されるフォーカシングコイルとトラッキング調整時に駆動電流が供給されるトラッキングコイルとを有する固定部と、
上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを備え、
該可動部にフォーカシングコイル及びトラッキングコイルに対向して配置されると共に極対数が２のマグネットが取り付けられ、
上記固定部に取り付けられると共に上記マグネットを引き寄せて可動部をフォーカシング方向及びトラッキング方向における中立位置にそれぞれ保持する磁性部材を設け、
上記マグネットのフォーカシングコイル及びトラッキングコイルに対向する面側の２極の境界線に対して上記磁性部材を傾斜させた
ことを特徴とするディスクドライブ装置。
【発明の詳細な説明】
【０００１】
【発明の属する技術分野】
本発明は対物レンズ駆動装置及びディスクドライブ装置に関する。詳しくは、対物レンズを有する可動部が支持軸部に回動自在かつ摺動自在に支持された対物レンズ駆動装置及び該対物レンズ駆動装置を備えたディスクドライブ装置についての技術分野に関する。
【０００２】
【従来の技術】
光ディスク等のディスク状記録媒体に対して情報信号の記録や再生を行うディスクドライブ装置があり、このようなディスクドライブ装置には、支持軸部にその軸回り方向に回動自在かつ軸方向に摺動自在に支持された可動部を動作させて、ディスク状記録媒体に照射されるレーザー光のフォーカシング調整及びトラッキング調整を行う対物レンズ駆動装置が設けられているものがある。
【０００３】
このような従来の対物レンズ駆動装置を図１９及び図２０に示す。
【０００４】
対物レンズ駆動装置ａは、磁性金属材料によって形成された固定部ｂと該固定部ｂに支持された可動部ｃとを備えている。
【０００５】
固定部ｂは、ベース部ｄと該ベース部ｄの両側縁から立ち上げられたヨーク部ｅ、ｅとベース部ｄの略中央部から上方へ突出された支持軸部ｆとを有している。ヨーク部ｅ、ｅの内面には、それぞれマグネットｇ、ｇが取り付けられている。
【０００６】
可動部ｃはボビンｈに所要の各部材が取り付けられて成る。
【０００７】
ボビンｈは本体部ｉと該本体部ｉから前方へ突出されたレンズホルダー部ｊとを有している。本体部ｉの略中央部には下方へ突出された円筒状を為す被支持筒部ｋが設けられている。レンズホルダー部ｊには対物レンズｌが保持されている。
【０００８】
ボビンｈには、コイル体ｍが取り付けられている。コイル体ｍは軸方向が上下となるように略角筒状に巻回されたフォーカシングコイルｎの両側部にそれぞれ前後に隣接した状態で２つずつのトラッキングコイルｏ、ｏ、・・・が取り付けられて成る。
【０００９】
ボビンｈの被支持筒部ｋには、磁性金属材料によって形成された磁性部材ｐが取り付けられている。磁性部材ｐは可動部ｃをフォーカシング方向及びトラッキング方向における中立位置に保持する役割を果たすものである。
【００１０】
可動部ｃは固定部ｂの支持軸部ｆが被支持筒部ｋに挿入されることにより、支持軸部ｆに、その軸方向に摺動自在かつ軸回り方向に回動自在に支持されている。支持軸部ｆの軸方向がディスク状記録媒体に対してフォーカシング調整が為されるフォーカシング方向であり、ディスク状記録媒体の略半径方向がディスク状記録媒体に対してトラッキング調整が為されるトラッキング方向である。
【００１１】
可動部ｃが支持軸部ｆに支持された状態においては、フレキシブルプリント配線板ｑの一端部ｒがボビンｈの後面部に取り付けられ、フレキシブルプリント配線板ｑの中間部ｓが固定部ｂのベース部ｄの下面に取り付けられる（図２０参照）。フレキシブルプリント配線板ｑの図示しない他端部は、図示しない電流供給回路に接続されている。
【００１２】
ボビンｈに取り付けられたフレキシブルプリント配線板ｑの一端部ｒはフォーカシングコイルｎ及びトラッキングコイルｏ、ｏ、・・・に電気的に接続され、電流供給回路からフレキシブルプリント配線板ｑを介してフォーカシングコイルｎ及びトラッキングコイルｏ、ｏ、・・・に各別に駆動電流が供給される。
【００１３】
このような可動部ｃが支持軸部ｆに支持された軸摺動型の対物レンズ駆動装置ａは、可動部が固定部に対してサスペンションによって支持されているタイプの対物レンズ駆動装置に比して、可動部ｃの重量バランスが良好であるため、フォーカシング方向に直交する方向における耐振動性に優り、自重による可動部ｃの変位が小さい等の長所を有する。
【００１４】
【発明が解決しようとする課題】
ところが、上記した従来の対物レンズ駆動装置ａにあっては、フォーカシングコイルｎ及びトラッキングコイルｏ、ｏ、・・・に駆動電流を供給するために可動部ｃに取り付けられたフレキシブルプリント配線板ｑを用いているため、可動部ｃが固定部ｂに対して動作されるときに、フレキシブルプリント配線板ｑの剛性によって可動部ｃに大きな負荷がかかり易く、共振周波数が高くなり低域における感度が低くなる等の不具合が生じ、可動部ｃの動作に支障を来たすおそれがある。
【００１５】
また、フレキシブルプリント配線板ｑの剛性により可動部ｃが支持軸部ｆに押し付けられる方向への力が付与されると、可動部ｃの中立位置が不安定になったり、可動部ｃが支持軸部ｆに線接触した状態で押し付けられることにより摺動ロスが大きく感度の低下等を来たすという問題もある。
【００１６】
そこで、本発明対物レンズ駆動装置及びディスクドライブ装置は、上記した問題点を克服し、当該対物レンズ駆動装置の可動部の動作の安定化を図ることを課題とする。
【００１７】
【課題を解決するための手段】
本発明対物レンズ駆動装置は、上記した課題を解決するために、対物レンズの光軸方向へ突出して設けられた支持軸部とフォーカシング調整時に駆動電流が供給されるフォーカシングコイルとトラッキング調整時に駆動電流が供給されるトラッキングコイルとを有する固定部と、上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを設け、該可動部にフォーカシングコイル及びトラッキングコイルに対向して配置されると共に極対数が２のマグネットを取り付け、上記固定部に取り付けられると共に上記マグネットを引き寄せて可動部をフォーカシング方向及びトラッキング方向における中立位置にそれぞれ保持する磁性部材を設け、上記マグネットのフォーカシングコイル及びトラッキングコイルに対向する面側の２極の境界線に対して上記磁性部材を傾斜させたものである。
【００１８】
また、本発明ディスクドライブ装置は、上記した課題を解決するために、対物レンズ駆動装置に、対物レンズの光軸方向へ突出して設けられた支持軸部とフォーカシング調整時に駆動電流が供給されるフォーカシングコイルとトラッキング調整時に駆動電流が供給されるトラッキングコイルとを有する固定部と、上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを設け、該可動部にフォーカシングコイル及びトラッキングコイルに対向して配置されると共に極対数が２のマグネットを取り付け、上記固定部に取り付けられると共に上記マグネットを引き寄せて可動部をフォーカシング方向及びトラッキング方向における中立位置にそれぞれ保持する磁性部材を設け、上記マグネットのフォーカシングコイル及びトラッキングコイルに対向する面側の２極の境界線に対して上記磁性部材を傾斜させたものである。
【００１９】
従って、本発明対物レンズ駆動装置及びディスクドライブ装置にあっては、フレキシブルプリント配線板を用いてフォーカシングコイル及びトラッキングコイルに駆動電流を供給する必要がない。
【００２０】
【発明の実施の形態】
以下に、本発明対物レンズ駆動装置及びディスクドライブ装置の実施の形態を添付図面に従って説明する。
【００２１】
先ず、第１の実施の形態について説明する（図１乃至図１２参照）。
【００２２】
ディスクドライブ装置１は、薄い箱状を為す外筐２内に所要の各部材及び各機構が配置されて成り、外筐２の前面には横長の矩形状を為す挿脱口２ａが形成されている（図１参照）。ディスク状記録媒体１００は挿脱口２ａを介して外筐２の内部に挿入され又は取り出される。
【００２３】
外筐２内にはシャーシ３が配置されている（図１参照）。シャーシ３の略中央部の下面側には図示しないスピンドルモーターが配置され、該スピンドルモーターのモーター軸にディスクテーブル４が固定されている。
【００２４】
シャーシ３には配置孔３ａが形成され、ディスクテーブル４が配置孔３ａからシャーシ３の上方へ突出されている（図１参照）。
【００２５】
シャーシ３の下面側には、リードスクリュー５とガイド軸６、６とが平行な状態で配置されている（図１参照）。シャーシ３の配置孔３ａには、光学ピックアップ７がディスクテーブル４に装着されるディスク状記録媒体１００の半径方向へ移動可能な状態で配置されている（図１参照）。
【００２６】
光学ピックアップ７は移動ベース８に所要の各部材が配置されて成る。光学ピックアップ７は、移動ベース８の一端部がリードスクリュー５に螺合されると共に移動ベース８の両端部がそれぞれガイド軸６、６に摺動自在に支持され（図１参照）、リードスクリュー５の回転によりガイド軸６、６に案内されてディスク状記録媒体１００の半径方向へ移動される。
【００２７】
対物レンズ駆動装置９は、固定部１０と該固定部１０に支持された可動部１１とを備えている（図２乃至図５参照）。
【００２８】
固定部１０は、移動ベース８の上面に取り付けられるベース部１２と該ベース部１２の両側縁からそれぞれ上方へ折り曲げられて形成されたヨーク部１３、１３とベース部１２の略中央部から上方へ突出された支持軸部１４とを有し、ベース部１２とヨーク部１３、１３と支持軸部１４とは何れも磁性金属材料によって形成されている。
【００２９】
ヨーク部１３、１３の内面には、それぞれコイル体１５、１５が取り付けられている（図２、図３及び図５参照）。
【００３０】
コイル体１５はＦＰコイルと称されるコイルであり、基板１６にそれぞれ小さな略角筒状を為すフォーカシングコイル１７、１７、・・・と大きな略角筒状を為すトラッキングコイル１８とが一体に形成されて成るものである（図６乃至図８参照）。フォーカシングコイル１７、１７、・・・は周方向に等間隔に離間した状態で４つが設けられており、トラッキングコイル１８は略全体がフォーカシングコイル１７、１７、・・・に重なるようにして設けられている。
【００３１】
コイル体１５の後端部には、上下に離間して４つの端子部１５ａ、１５ａ、・・・が形成されており、そのうちの２つの端子部１５ａ、１５ａにフォーカシングコイル１７の両端部が接続され、他の２つの端子部１５ａ、１５ａにトラッキングコイル１８の両端部が接続されている。
【００３２】
コイル体１５は端子部１５ａ、１５ａ、・・・が図示しない電流供給回路に電気的に接続され、電流供給回路からフォーカシングコイル１７、１７、・・・及びトラッキングコイル１８に駆動電流が供給される。
【００３３】
可動部１１はボビン１９に所要の各部材が取り付けられて成る。
【００３４】
ボビン１９は本体部２０と該本体部２０から前方へ突出されたレンズホルダー部２１とを有している（図２及び図３参照）。
【００３５】
本体部２０の中央部には被支持孔２０ａが形成されている（図５参照）。本体部２０の両側面部には、それぞれマグネット２２、２２とバックヨーク２３、２３とが取り付けられている（図２、図３及び図５参照）。
【００３６】
マグネット２２、２２は前後に長い矩形状を為し、それぞれ極対数が２とされており、左右両面側とも前半部と後半部とで異なる着磁が為されている（図３参照）。バックヨーク２３、２３は、それぞれマグネット２２、２２の内面に接した状態でボビン１９に取り付けられている。
【００３７】
レンズホルダー部２１には対物レンズ２４が取り付けられている（図２乃至図４参照）。
【００３８】
固定部１０のヨーク部１３、１３の外面には、それぞれ磁性部材２５、２５が取り付けられている。磁性部材２５は、例えば、鉄材料によって形成された厚みの薄い長方形状を為し、可動部１１に設けられたマグネット２２の前後方向における２極の境界線２２ａに対して傾斜された状態でヨーク部１３、１３に取り付けられている（図４参照）。
【００３９】
可動部１１は支持軸部１４が被支持孔２０ａに挿入されることにより、支持軸部１４に、その軸方向に摺動自在かつ軸回り方向に回動自在に支持される（図２、図３及び図５参照）。支持軸部１４の軸方向がディスク状記録媒体１００に対してフォーカシング調整が為されるフォーカシング方向（図２に示すＦ―Ｆ方向）であり、ディスク状記録媒体１００の略半径方向がディスク状記録媒体１００に対してトラッキング調整が為されるトラッキング方向（図２に示すＴ―Ｔ方向）である。
【００４０】
可動部１１が支持軸部１４に支持された状態においては、マグネット２２、２２が、それぞれコイル体１５、１５のフォーカシングコイル１７、１７、・・・及びトラッキングコイル１８、１８に対向して位置される。可動部１１は、マグネット２２、２２の磁力とフォーカシングコイル１７、１７、・・・の前後に流れる駆動電流との関係（図７参照）によってフォーカシング方向へ動作され、マグネット２２、２２の磁力とトラッキングコイル１８、１８の上下に流れる駆動電流との関係（図８参照）によってトラッキング方向へ動作される。
【００４１】
固定部１０のヨーク部１３、１３の上面に、可動部１１を覆う平板状のカバー２６が取り付けられている（図２、図４及び図５参照）。
【００４２】
以下に、ディスクドライブ装置１の動作について説明する。
【００４３】
ディスク状記録媒体１００がディスクテーブル４に装着され図示しない記録スイッチ又は再生スイッチが操作されると、スピンドルモーターの駆動によるディスクテーブル４の回転に伴ってディスク状記録媒体１００が回転される。ディスク状記録媒体１００が回転されると、移動ベース８に設けられた図示しない発光素子からレーザー光が出射され対物レンズ２４を介してディスク状記録媒体１００の記録面に照射される。
【００４４】
ディスク状記録媒体１００の記録面に照射されたレーザー光は当該記録面で反射され、移動ベース８に設けられた図示しない受光素子に入射され、光電変換されて情報信号の記録又は再生が行われる。
【００４５】
情報信号の記録又は再生が行われるときには、対物レンズ駆動装置９によってフォーカシング調整及びトラッキング調整が行われる。フォーカシング調整時には、電流供給回路からコイル体１５、１５のフォーカシングコイル１７、１７、・・・に駆動電流が供給され、対物レンズ２４を介して照射されるレーザー光のスポットがディスク状記録媒体１００の記録面に集光するように、可動部１１が支持軸部１４の軸方向に動作される。トラッキング調整時には、電流供給回路からコイル体１５、１５のトラッキングコイル１８、１８に駆動電流が供給され、対物レンズ２４を介して照射されるレーザー光のスポットがディスク状記録媒体１００の記録面に集光するように、可動部１１が支持軸部１４の軸回り方向に動作される。
【００４６】
対物レンズ駆動装置９にあっては、固定部１０のヨーク部１３、１３にそれぞれ磁性部材２５、２５が取り付けられているため、磁性部材２５、２５にマグネット２２、２２の中央部が引き寄せられる。従って、フォーカシングコイル１７、１７、・・・に駆動電流が供給されていないときに可動部１１をフォーカシング方向における中立位置に確実に保持することができ、また、トラッキングコイル１８、１８に駆動電流が供給されていないときに可動部１１をトラッキング方向における中立位置に確実に保持することができる。
【００４７】
この中立位置においては、可動部１１に設けられたマグネット２２は、それぞれコイル体１５の４つのフォーカシングコイル１７、１７、・・・の全体の略中央部及びトラッキングコイル１８の略中央部に対向するように位置される（図７及び図８参照）。
【００４８】
磁性部材２５、２５は、上記したように、それぞれ可動部１１に設けられたマグネット２２、２２の境界線２２ａ、２２ａに対して傾斜された状態でヨーク部１３、１３に取り付けられているため、マグネット２２、２２は境界線２２ａ、２２ａが磁性部材２５、２５に沿うように引き寄せられ、可動部１１が支持軸部１４に対して該支持軸部１４と被支持孔２０ａとのクリアランス分傾斜される（図９参照）。
【００４９】
従って、可動部１１は支持軸部１４に対して常に一方に傾斜した状態でフォーカシング方向及びトラッキング方向に動作され、耐振動性が良好となり、支持軸部１４に対する可動部１１の傾斜方向の変動を来たすことなく安定して動作される。
【００５０】
以上に記載した通り、対物レンズ駆動装置９にあっては、固定部１０にフォーカシングコイル１７、１７、・・・及びトラッキングコイル１８、１８を有するコイル体１５、１５が設けられているため、駆動電流を供給するためのフレキシブルプリント配線板を可動部１１に取り付ける必要がなく、動作中に可動部１１に負荷がかかることがなく、可動部１１の感度の向上による動作の安定化を図ることができる。
【００５１】
また、フレキシブルプリント配線板の配置スペースを確保する必要がないため、その分、対物レンズ駆動装置９の小型化を図ることができる。
【００５２】
さらに、可動部１１に設けられたマグネット２２、２２は極対数が２とされており、マグネット２２、２２における磁束は前後方向において隣接するＮ極とＳ極との間で小さなループを描くようにして発生する（図３参照）。
【００５３】
従って、例えば、極対数が１であるマグネットを用いたときの当該マグネットからヨーク部１３、ベース部１２、支持軸部１４及び当該マグネットに至るような大きなループを描く磁束とはならず、マグネット２２、２２の吸着力が必要以上に大きくならないため、可動部１１の支持軸部１４に対する重量バランスが崩れたときに当該バランスを悪化させ難く、可動部１１の良好な動作状態を維持することができる。
【００５４】
また、磁束が前後方向において隣接するＮ極とＳ極との間でループを描くようにして発生するため、ヨークの一部を省略しても可動部１１が動作可能であるため、ヨークの一部を省略したときには対物レンズ駆動装置９の小型化を図ることが可能である。
【００５５】
尚、上記には、支持軸部１４と被支持孔２０ａとのクリアランス分、可動部１１を支持軸部１４に対して傾斜させた状態で動作させる方法として、磁性部材２５、２５をそれぞれマグネット２２、２２の境界線２２ａ、２２ａに対して傾斜させた状態でヨーク部１３、１３の外面に取り付ける例を示したが、可動部１１を支持軸部１４に対して該支持軸部１４と被支持孔２０ａとのクリアランス分傾斜させた状態で動作させる他の方法として、例えば、磁性部材２５、２５を境界線２２ａ、２２ａの前方又は後方に対応した位置に配置すること、磁性部材２５、２５をマグネット２２、２２の中央部の上方又は下方に対応した位置に配置すること、左右の磁性部材２５、２５の材質や大きさやマグネット２２、２２との距離を変えること等の方法を用いることができる。
【００５６】
次に、マグネット２２の変形例であるマグネット２２Ａについて説明する（図１０乃至図１２参照）。
【００５７】
マグネット２２Ａ、２２Ａは、前後方向における中央部がそれぞれ外方へ突出するように屈曲されている。マグネット２２Ａ、２２Ａを用いた対物レンズ駆動装置９Ａにあっては、可動部１１Ａが支持軸部１４に対してその軸回り方向へ回動されてトラッキング方向へ動作されたときに、コイル体１５、１５のマグネット２２Ａ、２２Ａに対向する面が該マグネット２２Ａ、２２Ａの外面と略平行になるため（図１１及び図１２参照）、その分、マグネット２２Ａ、２２Ａとコイル体１５、１５との間隔を小さくすることができ、小型化を図ることができる。
【００５８】
尚、上記のように前後方向における中央部をそれぞれ外方へ突出させるようにするために、前半部と後半部をそれぞれ極対数が１のマグネットによって各別に形成し、両者を互いに傾斜させた状態でボビン１９に取り付けることによっても構成することが可能である。
【００５９】
次に、第２の実施の形態について説明する（図１３乃至図１８参照）。尚、以下に示す対物レンズ駆動装置９Ｂは、上記した対物レンズ駆動装置９と比較して、マグネットの着磁の方向が異なること及びコイル体の構成が異なることのみが相違するため、対物レンズ駆動装置９と比較して異なる部分についてのみ詳細に説明をし、その他の部分については対物レンズ駆動装置９における同様の部分に付した符号と同じ符号を付して説明は省略する。
【００６０】
対物レンズ駆動装置９Ｂは、ヨーク部１３、１３の内面に、それぞれコイル体２７、２７が取り付けられている（図１３及び図１５参照）。
【００６１】
コイル体２７はＦＰコイルと称されるコイルであり、基板２８にそれぞれ大きな略角筒状を為すフォーカシングコイル２９と小さな略角筒状を為すトラッキングコイル３０、３０、・・・とが一体に形成されて成るものである（図１６乃至図１８参照）。トラッキングコイル３０、３０、・・・は周方向に等間隔に離間した状態で４つが設けられており、フォーカシングコイル２９は略全体がトラッキングコイル３０、３０、・・・に重なるようにして設けられている。
【００６２】
コイル体２７の後端部には、上下に離間して４つの端子部２７ａ、２７ａ、・・・が形成されており、そのうちの２つの端子部２７ａ、２７ａにフォーカシングコイル２９の両端部が接続され、他の２つの端子部２７ａ、２７ａにトラッキングコイル３０の両端部が接続されている。
【００６３】
コイル体２７は端子部２７ａ、２７ａ、・・・が図示しない電流供給回路に電気的に接続され、電流供給回路からフォーカシングコイル２９及びトラッキングコイル３０、３０、・・・に駆動電流が供給される。
【００６４】
可動部１１Ｂはボビン１９に所要の各部材が取り付けられて成る。
【００６５】
ボビン１９の本体部２０の両側面部には、それぞれマグネット３１、３１が取り付けられている（図１３及び図１５参照）。マグネット３１、３１は上下に長い矩形状を為し、それぞれ極対数が２とされており、左右両面側とも上半部と下半部とで異なる着磁が為されている（図１５参照）。
【００６６】
固定部１０Ｂのヨーク部１３、１３の外面には、それぞれ磁性部材２５、２５が取り付けられている。磁性部材２５は、例えば、鉄材料によって形成された厚みの薄い長方形状を為し、可動部１１Ｂに設けられたマグネット３１の上下方向における２極の境界線３１ａに対して傾斜された状態でヨーク部１３、１３に取り付けられている（図１４参照）。
【００６７】
可動部１１Ｂは支持軸部１４が被支持孔２０ａに挿入されることにより、支持軸部１４に、その軸方向に摺動自在かつ軸回り方向に回動自在に支持される（図１３及び図１５参照）。
【００６８】
可動部１１Ｂが支持軸部１４に支持された状態においては、マグネット３１、３１が、それぞれコイル体２７、２７のフォーカシングコイル２９、２９及びトラッキングコイル３０、３０、・・・に対向して位置される。可動部１１Ｂは、マグネット３１、３１の磁力とフォーカシングコイル２９の前後に流れる駆動電流との関係（図１８参照）によってフォーカシング方向へ動作され、マグネット３１、３１の磁力とトラッキングコイル３０、３０、・・・の上下に流れる駆動電流との関係（図１７参照）によってトラッキング方向へ動作される。
【００６９】
対物レンズ駆動装置９Ｂにあっては、固定部１０Ｂのヨーク部１３、１３にそれぞれ磁性部材２５、２５が取り付けられているため、磁性部材２５、２５にマグネット３１、３１の中央部が引き寄せられる。従って、フォーカシングコイル２９、２９に駆動電流が供給されていないときに可動部１１をフォーカシング方向における中立位置に確実に保持することができ、また、トラッキングコイル３０、３０、・・・に駆動電流が供給されていないときに可動部１１をトラッキング方向における中立位置に確実に保持することができる。
【００７０】
この中立位置においては、可動部１１Ｂに設けられたマグネット３１は、それぞれコイル体２７のフォーカシングコイル２９の略中央部及び４つのトラッキングコイル３０、３０、・・・の全体の略中央部に対向するように位置される（図１７及び図１８参照）。
【００７１】
磁性部材２５、２５は、上記したように、それぞれ可動部１１Ｂに設けられたマグネット３１、３１の境界線３１ａ、３１ａに対して傾斜された状態でヨーク部１３、１３に取り付けられているため、マグネット３１、３１は境界線３１ａ、３１ａが磁性部材２５、２５に沿うように引き寄せられ、可動部１１Ｂが支持軸部１４に対して該支持軸部１４と被支持孔２０ａとのクリアランス分傾斜される。
【００７２】
従って、可動部１１Ｂは支持軸部１４に対して常に一方に傾斜した状態でフォーカシング方向及びトラッキング方向に動作され、耐振動性が良好となり、支持軸部１４に対する可動部１１Ｂの傾斜方向の変動を来たすことなく安定して動作される。
【００７３】
上記した対物レンズ駆動装置９Ｂにあっては、固定部１０Ｂにフォーカシングコイル２９、２９及びトラッキングコイル３０、３０、・・・を有するコイル体２７、２７が設けられているため、駆動電流を供給するためのフレキシブルプリント配線板を可動部１１Ｂに取り付ける必要がなく、動作中に可動部１１Ｂに負荷がかかることがなく、可動部１１Ｂの感度の向上による動作の安定化を図ることができる。
【００７４】
また、フレキシブルプリント配線板の配置スペースを確保する必要がないため、その分、対物レンズ駆動装置９Ｂの小型化を図ることができる。
【００７５】
さらに、可動部１１Ｂに設けられたマグネット３１、３１は極対数が２とされているため、対物レンズ駆動装置９と同様の理由により、可動部１１Ｂの支持軸部１４に対する重量バランスが崩れたときに当該バランスを悪化させ難く、可動部１１Ｂの良好な動作状態を維持することができ、また、ヨークの一部を省略しても可動部１１Ｂが動作可能であるため、ヨークの一部を省略したときには対物レンズ駆動装置９Ｂの小型化を図ることが可能である。
【００７６】
加えて、対物レンズ駆動装置９Ｂにあっては、マグネット２７、２７が縦長の形状にされ前後の幅が小さいため、可動部１１Ｂが支持軸部１４の軸回り方向へ回動されたときにコイル体２７、２７とマグネット３１、３１とが干渉し難い。従って、その分、コイル体２７、２７とマグネット３１、３１との距離を小さくすることができ、対物レンズ駆動装置９Ｂの小型化を図ることができる。
【００７７】
上記した各実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００７８】
【発明の効果】
以上に記載したところから明らかなように、本発明対物レンズ駆動装置は、ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップに設けられ、ディスク状記録媒体の記録面にレーザー光が集光するようにフォーカシング調整及びトラッキング調整を行う対物レンズ駆動装置であって、上記対物レンズの光軸方向へ突出して設けられた支持軸部とフォーカシング調整時に駆動電流が供給されるフォーカシングコイルとトラッキング調整時に駆動電流が供給されるトラッキングコイルとを有する固定部と、上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを備え、該可動部にフォーカシングコイル及びトラッキングコイルに対向して配置されると共に極対数が２のマグネットが取り付けられ、上記固定部に取り付けられると共に上記マグネットを引き寄せて可動部をフォーカシング方向及びトラッキング方向における中立位置にそれぞれ保持する磁性部材を設け、上記マグネットのフォーカシングコイル及びトラッキングコイルに対向する面側の２極の境界線に対して上記磁性部材を傾斜させたことを特徴とする。
【００７９】
従って、フレキシブルプリント配線板を可動部に取り付ける必要がなく、動作中に可動部に負荷がかかることがなく、可動部の感度の向上による動作の安定化を図ることができる。
【００８０】
また、フレキシブルプリント配線板の配置スペースを確保する必要がないため、その分、対物レンズ駆動装置の小型化を図ることができる。
【００８１】
さらに、可動部に設けられたマグネットの極対数が２とされており、マグネットにおける磁束が隣接するＮ極とＳ極との間で小さなループを描くようにして発生し、マグネットの吸着力が必要以上に大きくならないため、可動部の支持軸部に対する重量バランスが崩れたときに当該バランスを悪化させ難く、可動部の良好な動作状態を維持することができる。
【００８２】
加えて、磁束が隣接するＮ極とＳ極との間でループを描くようにして発生するため、ヨークの一部を省略可能であり、当該ヨークの一部の省略による対物レンズ駆動装置の小型化を図ることが可能である。
【００８３】
そして、上記固定部に取り付けられると共に上記マグネットを引き寄せて可動部をフォーカシング方向及びトラッキング方向における中立位置にそれぞれ保持する磁性部材を設けたので、可動部をフォーカシング方向及びトラッキング方向における中立位置に確実に保持することができる。
【００８４】
そして、さらに、上記マグネットのフォーカシングコイル及びトラッキングコイルに対向する面側の２極の境界線に対して上記磁性部材を傾斜させたので、可動部が支持軸部に対して傾斜された状態でフォーカシング方向及びトラッキング方向に動作され、耐振動性が良好となり、支持軸部に対する可動部の傾斜方向の変動を来たすことなく安定した動作を確保することができる。
【００８５】
本発明ディスクドライブ装置は、ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップを備え、該光学ピックアップに設けられた対物レンズ駆動装置によってディスク状記録媒体の記録面にレーザー光が集光するようにフォーカシング調整及びトラッキング調整が行われるディスクドライブ装置であって、上記対物レンズ駆動装置は、対物レンズの光軸方向へ突出して設けられた支持軸部とフォーカシング調整時に駆動電流が供給されるフォーカシングコイルとトラッキング調整時に駆動電流が供給されるトラッキングコイルとを有する固定部と、上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを備え、該可動部にフォーカシングコイル及びトラッキングコイルに対向して配置されると共に極対数が２のマグネットが取り付けられ、上記固定部に取り付けられると共に上記マグネットを引き寄せて可動部をフォーカシング方向及びトラッキング方向における中立位置にそれぞれ保持する磁性部材を設け、上記マグネットのフォーカシングコイル及びトラッキングコイルに対向する面側の２極の境界線に対して上記磁性部材を傾斜させたことを特徴とする。
【００８６】
従って、フレキシブルプリント配線板を可動部に取り付ける必要がなく、動作中に可動部に負荷がかかることがなく、可動部の感度の向上による動作の安定化を図ることができる。
【００８７】
また、フレキシブルプリント配線板の配置スペースを確保する必要がないため、その分、対物レンズ駆動装置の小型化に伴うディスクドライブ装置の小型化を図ることができる。
【００８８】
さらに、可動部に設けられたマグネットの極対数が２とされており、マグネットにおける磁束が隣接するＮ極とＳ極との間で小さなループを描くようにして発生し、マグネットの吸着力が必要以上に大きくならないため、可動部の支持軸部に対する重量バランスが崩れたときに当該バランスを悪化させ難く、可動部の良好な動作状態を維持することができる。
【００８９】
加えて、磁束が隣接するＮ極とＳ極との間でループを描くようにして発生するため、ヨークの一部を省略可能であり、当該ヨークの一部の省略による対物レンズ駆動装置の小型化に伴うディスクドライブ装置の小型化を図ることが可能である。
【００９０】
そして、上記固定部に取り付けられると共に上記マグネットを引き寄せて可動部をフォーカシング方向及びトラッキング方向における中立位置にそれぞれ保持する磁性部材を設けたので、可動部をフォーカシング方向及びトラッキング方向における中立位置に確実に保持することができる。
【００９１】
そして、さらに、上記マグネットのフォーカシングコイル及びトラッキングコイルに対向する面側の２極の境界線に対して上記磁性部材を傾斜させたので、可動部が支持軸部に対して傾斜された状態でフォーカシング方向及びトラッキング方向に動作され、耐振動性が良好となり、支持軸部に対する可動部の傾斜方向の変動を来たすことなく安定した動作を確保することができる。
【図面の簡単な説明】
【図１】図２乃至図１２と共に本発明の第１の実施の形態を示すものであり、本図はディスクドライブ装置の概略斜視図である。
【図２】カバーを分離して示す対物レンズ駆動装置の拡大斜視図である。
【図３】カバーを取り外した状態で示す対物レンズ駆動装置の拡大平面図である。
【図４】対物レンズ駆動装置の拡大側面図である。
【図５】カバーを取り付けた状態で示す図３のＶ―Ｖ線に沿う断面図である。
【図６】コイル体の拡大側面図である。
【図７】フォーカシングコイルとマグネットとの関係をトラッキングコイルを省略して示すコイル体の拡大側面図である。
【図８】トラッキングコイルとマグネットの関係をフォーカシングコイルを省略して示すコイル体の拡大側面図である。
【図９】可動部が支持軸部に対して傾斜された状態を示す概念図である。
【図１０】図１１及び図１２と共に別のマグネットが用いられた対物レンズ駆動装置を示すものであり、本図はカバーを取り外した状態で示す拡大平面図である。
【図１１】可動部が支持軸部に対して一方へ回動された状態を示す示す拡大平面図である。
【図１２】可動部が支持軸部に対して他方へ回動された状態を示す示す拡大平面図である。
【図１３】図１４乃至図１８と共に本発明の第２の実施の形態を示すものであり、本図はカバーを取り外した状態で示す対物レンズ駆動装置の拡大平面図である。
【図１４】対物レンズ駆動装置の拡大側面図である。
【図１５】カバーを取り付けた状態で示す図１３のＸＶ―ＸＶ線に沿う断面図である。
【図１６】コイル体の拡大側面図である。
【図１７】トラッキングコイルとマグネットとの関係をフォーカシングコイルを省略して示すコイル体の拡大側面図である。
【図１８】フォーカシングコイルとマグネットとの関係をトラッキングコイルを省略して示すコイル体の拡大側面図である。
【図１９】図２０と共に従来の対物レンズ駆動装置を示すものであり、本図は概略拡大平面図である。
【図２０】概略拡大断面図である。
【符号の説明】
１…ディスクドライブ装置、４…ディスクテーブル、７…光学ピックアップ、８…移動ベース、９…対物レンズ駆動装置、１０…固定部、１１…可動部、１４…支持軸部、１７…フォーカシングコイル、１８…トラッキングコイル、２２…マグネット、２２ａ…境界線、２４…対物レンズ、２５…磁性部材、１００…ディスク状記録媒体、９Ａ…対物レンズ駆動装置、１１Ａ…可動部、２２Ａ…マグネット、９Ｂ…対物レンズ駆動装置、１０Ｂ…固定部、１１Ｂ…可動部、２９…フォーカシングコイル、３０…トラッキングコイル、３１…マグネット、３１ａ…境界線
【図１】
0003855729.tif 000002
【図２】
0003855729.tif 000003
【図３】
0003855729.tif 000004
【図４】
0003855729.tif 000005
【図５】
0003855729.tif 000006
【図６】
0003855729.tif 000007
【図７】
0003855729.tif 000008
【図８】
0003855729.tif 000009
【図９】
0003855729.tif 000010
【図１０】
0003855729.tif 000011
【図１１】
0003855729.tif 000012
【図１２】
0003855729.tif 000013
【図１３】
0003855729.tif 000014
【図１４】
0003855729.tif 000015
【図１５】
0003855729.tif 000016
【図１６】
0003855729.tif 000017
【図１７】
0003855729.tif 000018
【図１８】
0003855729.tif 000019
【図１９】
0003855729.tif 000020
【図２０】
0003855729.tif 000021